(57)【要約】      （修正有）【解決手段】ワンタッチで開く従来の傘の止め金具上方０．１５ｍ位の所に別な止め金具が出て一旦止まるようにする。これで傘が、半開きとなる。これが本考案の求める、昔ながらのすぼめた傘の形である。この止め金具が出ている間は下の止め金具は引っ込んでいる。次に同じタッチボタンを押すことによって傘柄の中に設置された強力バネの力でタッチボタンが跳ね返り、元に戻り、０．１５ｍ位上の止め金具が引っ込み、傘が全開きとなる。つまり、この２つの金具はシーソーの原理で片方が引っ込むともう片方が出、それが引っ込むと先の方が出ると言うぐわいに２段階開きの傘となるのである。【効果】２段階自動開きにすることによって、いったん緩めて開き、狭い所や風の強い日にもすぼめて差すことができるようにする。その次に、しっかりと広げるようにすることによって、傘が穏やかに使え、効果的である。【選択図】図３
0003102149.tif 000002
【実用新案登録請求の範囲】
【請求項１】
ワンタッチで開く従来の傘の止め金具の上方０．１５ｍ位の所に別の止め金具が出て一旦止まるようにする。これで傘が、半開きとなる。これが本考案の求める、昔ながらのすぼめた傘の形である。傘の開こうとする力でこの止め金具が出たまま止められており、下の止め金具は引っ込んでいる。次に同じタッチボタンを押すことによって傘の柄の中に設置された強力バネの力でタッチボタンが跳ね返り、下の止め金具が元に戻り、０．１５ｍ位上の止め金具が引っ込み、傘が全開きとなる。つまり、この２つの止め金具は中で繋がっていてシーソーの原理で片方が引っ込むともう片方が出、それが引っ込むと先の方が出ると言うぐわいに２段階開きの傘の止め金具となるのである。
【考案の詳細な説明】
【技術分野】
【０００１】  本考案は家庭用日用品である。
【背景技術】
【０００２】  傘は必需品である。技術の進歩で市販されている傘はワンタッチ傘、折り畳み傘、使い捨て用傘、軽量傘、紫外線防止傘等種類も多く、機能性は追及され尽きたように思われる。【０００３】  傘は日常多く作られ、安く手に入り、ファション性も追及され今やもう利便性も追及され尽きたように思われるが、便利過ぎて不便なことが起こっている。【０００４】  台風等の風の強い日、テレビに写る傘は風をはらんで次々にオチョコとなり壊れる。雨の日、自家用車から出ようとする時、傘は扉や枠につっ掛かる。狭い所や木の下を通る時、周りの物や枝がひっ掛かる。この様に一発でしっかりと開いた傘が邪魔となることもある。昔のように傘をすぼめて歩きたい状況の時もあるが、今や、すぼめて使える傘は無い。【０００５】  このように、開発し尽くされた傘に、昔のようにすぼめても使える機能を付け加えたい。
【考案の開示】
【考案が解決しようとする課題】
【０００６】  ワンタッチで満々としっかりと開く傘が不都合となることも多い。昔のように少しすぼめても使える傘が無いことは不便である。
【課題を解決しようとするための手段】
【０００７】  ワンタッチで満々としっかりと開く傘に、その途中でもう一回、止めて、すぼめた状態にできる機能を付け加えた２段階開きの傘にする。
【考案の効果】
【０００８】  本考案は、２段階自動開きにするために、いったん緩めて開き、狭い所や風の強い日にもすぼめて差すことができるようにする。その次に、満々と広げて、傘がしっかり使える効果を期待する。
【考案を実施するための最良の形態】
【０００９】  従来の傘をワンタッチで開ききる前に、一旦緩めた形で止め、もう一度タッチすることで全部開ききるように２つの止め金具を持つ２重構造とする。
【実施例】
【００１０】  ワンタッチで開く従来の傘の止め金具上方０．１５ｍ位の所に別の止め金具が出て一旦止まるようにする。これで傘が、半開きとなる。これが本考案の求める、昔ながらのすぼめた傘の形である。この止め金具が出ている間は下の止め金具は引っ込んでいる。【００１１】  次に同じタッチボタンを押すことによって傘の柄の中に設置された強力バネの力でタッチボタンが跳ね返り、それに繋がっている下の金具が元に戻り、０．１５ｍ位上の止め金具が引っ込み傘が全開きとなる。この２つの金具は中で繋がりシーソーの原理で片方が引っ込むともう片方が出、それがが引っ込むと先の方が出ると言うぐわいに２段階開きの傘となるのである。【００１２】  傘を閉じる場合も一旦上方の止め金具で止めることも出来、そのまま下まできて全止めにもなる。
【産業上の利用可能性】
【００１３】  今までの傘は量産され、安く手に入り、ファション性も追及され今やもう利便性追及も尽きたように思われるが、便利な中にも盲点はあった。昔ながらのすぼめて使う方法にはそれなりの利便性がある。皆、どこか物足りなさを感じながらもいきなり開ききるワンタッチ傘の便利さに気を取られ、すぼめて使う穏やかさと利用価値に気付こうとしなかった。すぼめて使う必要性は現在の生活の中にも沢山ある。【００１４】  ２段階開きにするための構造も簡単で、柄の中のバネを強力にすることと、もう１箇所止め金具を設けることで成り立つ。経費もあまりかからない。
【図面の簡単な説明】
【００１５】
【図１】全開きの傘である。止め金具が２箇所ある。
【図２】上と下の止め金具の構造である。下の止め金具が出ている時は上の金具は引っ込み、上の止め金具が出ている時は下の金具が引っ込む。つまり、シーソーの原理である。傘の柄の中で強い鋼鉄薄板で繋がっている。下の止め金具の下には強力バネがあり、２度目のタッチで跳ね返り元に戻ろうとする。１度目のタッチの時は傘が開こうとして押さえともなり下の金具は下がったままである。
【図３】半開きの傘である。上の止め金具が作用している。下の止め金具は引っ込んでいる。上の止め金具と下の止め金具の間隔は０．１５ｍ位である。
【図４】上の止め金具の構造である。傘の柄の中にシーソーの原理で上下が繋がり傘が半開きとなりながら上の止め金具を押さえている。
【符号の説明】
【００１６】  １  １′    下の止め金具である。（１の時、全開及び閉じ。１′２′の時、半開きとなる）
２  ２′    上の止め金具である。（２”の所で止まる場合もあるが外柄を緩めて製造することで避けられる。この所を止め箇所としても可能である）
３  ３′    タッチボタンである。
４          バネである。（タッチボタンと下の止め金具を跳っ返す役目）
５          傘の握りである。
６  ６′    上の止め金具と下の止め金具が繋がっているシーソーである。
７          傘柄の中である。
８          外柄である。
【図１】
0003102149.tif 000003
【図２】
0003102149.tif 000004
【図３】
0003102149.tif 000005
【図４】
0003102149.tif 000006
【手続補正書】
【提出日】平成15年12月30日(2003.12.30)
【手続補正１】
【補正対象書類名】実用新案登録請求の範囲
【補正対象項目名】全文
【補正方法】変更
【補正の内容】
【実用新案登録請求の範囲】
【請求項１】
自動２段階開き傘において
（１）傘の柄の中にシーソーの原理で交互に止め金具が表に出るところの、両端に止め金      具がついた０．１５ｍの金具アームが入る。
（２）握り側の止め金具の下に強力バネが設置され、そのバネが握り側の止め金具で押さ      れると上方の止め金具が表に出て、傘が半開きの型で止まる。
（３）そのバネが放されると上方の止め金具が引っ込み、傘が全開きとなる。
以上からなる自動２段階開き傘。